(57)【特許請求の範囲】
【請求項１】
ガス系消火設備の容器弁を押し込んで開放させる開放用ノブを往復動自在に備えた開放器本体に、前記開放用ノブに当接させて該開放用ノブを押し込み作用する偏心カムが回転軸まわりに回転自在に取り付けられるとともに、該偏心カムにハンドルが取り付けられており、
前記ハンドルは上向き姿勢に設けられ、
前記偏心カムは、前記開放用ノブと距離をあけて設けられていて、前記ハンドルを下向きに回転させることにより、前記開放用ノブと当接されて前記開放用ノブを押し込むように設定していることを特徴とするガス系消火設備の開放器。
【請求項２】
前記開放器本体の外側面に、該開放器本体とは別体の支持部材を取り付け、この支持部材に前記偏心カムが回転軸まわりに回転自在に取り付けられている請求項１記載のガス系消火設備の開放器。
【発明の詳細な説明】
【０００１】
【発明の属する技術分野】
本発明は、二酸化炭素、窒素、ハロン、イナージェンガス等不活性ガスのガス系消火設備の開放器に係り、より詳しくはガス系消火設備のガス貯蔵容器や起動用ガス容器の容器弁を開放する開放器に関する。
【０００２】
【従来の技術】
ガス系消火設備のガス貯蔵容器等の容器弁は開放器の開放用ノブを押込み操作することにより開放される（例えば、実開平７−３６６７号公報）。図５にその開放器Ｂを、図６に容器弁Ａをそれぞれ示している。容器弁Ａは、図６に示すように、ガス貯蔵容器２０に取り付けられる弁本体２１の内部に、ガス貯蔵容器２０の内部と連通する第１流路２２と、この第１流路２２に直交する第２流路２３とを設けている。そして第２流路２３の第１流路２２との交差部には弁座２４が設けられ、この弁座２４に対し弁体２５が接離自在に組み込まれる。
【０００３】
弁本体２１の第２流路２３の一端開口部は銅板等からなる封板２６で塞がれ、封板２６は弁本体２１の第２流路２３の一端開口部にねじ込まれる排圧ナット２７でシールパッキン２８を介して固定される。排圧ナット２７はこれの中央にねじ孔２９を有しており、このねじ孔２９に開放器Ｂが取り付けられる。第２流路２３の他端開口部３０は、先端に消火ガス放射ノズルを付けたホース（図示せず）に接続される。
【０００４】
第２流路２３内の弁体２５の背面と封板２６との間の密閉空間３１には二酸化炭素等のガスが封入され、弁体２５の背面と封板２６との間には弁体２５を弁座２４に押し付けるスプリング３２が介在される。一方、弁本体２１の弁座２４の外周と弁体２５の先端側のテ−パ面２５ａとの間には第１流路２２と連通する環状路３３が形成され、この環状路３３内に流れ込む第１流路２２内のガスの圧力が弁体２５の先端側に加えられている。弁体２５の背面側に加えられる封入ガス圧力にスプリング３２の押圧付勢力を加えた圧力値は、ガス貯蔵容器２０と連通状態にある第１流路２２内のガス圧値以上に設定してある。したがって、弁体２５はこれの背面側に封入ガス圧力とスプリング３２の押圧付勢力を加えられることによって弁座２４に密着した状態を維持しており、第１流路２２と第２流路２３の他端開口部３０との連通状態を遮断している。
【０００５】
一方、開放器Ｂは、図５に示すように、開放器本体１のシリンダ内部にはピストン３４及びスプリング３５が組み込まれ、ピストン３４の先端側には容器弁Ａの封板２６を突き破る中空針状の破壊軸３６が一体的に結合されている。開放器本体１のシリンダ先端側には、中央に貫通孔３７を、外周に小さいガス逃し孔３８をそれぞれ備えた接続金具３９が袋ナット４０で取り付けられている。その接続金具３９の貫通孔３７に破壊軸３６の先端側が挿通されている。また開放器本体１にはピストン３４をスプリング３５の力に抗して押圧するための開放用ノブ２が往復動自在に備えられている。この開放用ノブ２を押圧操作することによりピストン３４がスプリング３５の力に抗して開放器本体１のシリンダ内を前進し、この前進により破壊軸３６の先端が接続金具３９の貫通孔３７から外方へ突出するようになっている。
【０００６】
この開放器Ｂは、図６に示すように、接続金具３９を容器弁Ａの排圧ナット２７のねじ孔２９にねじ込み結合することにより容器弁Ａに取り付けられる。かくして、火災発生時に開放器Ｂの開放用ノブ２を押込み操作すると、容器弁Ａの封板２６が破壊軸３６の先端で突き破られる。封板２６の破壊により弁体２４の背面側の封入ガスが排圧ナット２７の外周に設けてあるガス逃し孔４１及び開放器Ｂ側のガス逃し孔３８から排出し、弁体２５の背面側の封入ガス圧が低下し喪失する。したがって、弁体２４は第１流路２２内のガス圧によりスプリング３２の力に抗して後退し、第１流路２２と第２流路２３の他端開口部３０とを連通状態にし、ガス貯蔵容器２０内のガスが第１流路２２及び第２流路２３の他端開口部３０を通って該他端開口部３０に接続される消火ガス噴射ノズル付きホース（図示せず）に導入することになる。
【０００７】
【発明が解決しようとする課題】
開放用ノブ２を手で押込み操作する上記開放器Ｂでは、容器弁Ａの銅板等からなる封板２６を突き破る必要があるため、かなりの押込み力を要し、通常は開放用ノブ２を手のひらで強く叩いている。しかしながら、このような開放器による開放操作は、力の弱い火災発見者であったり、火災発生状態で気が動転している人などにより行われる場合も予想される。この場合は開放器Ｂの開放用ノブ２の押込みが不足がちとなり、このため容器弁Ａの封板２６が十分に突き破られず、所定のガス放射ができないおそれがある。
【０００８】
本発明は、このような問題を解消するためになされたもので、開放器の開放用ノブを小さい操作力で確実に押し込むことができ、力の弱い火災発見者などによっても確実に開放操作できるガス系消火設備の開放器を提供することを目的とする。
【０００９】
【課題を解決するための手段】
本発明のガス系消火設備の開放器は、ガス系消火設備の容器弁を押し込んで開放させる開放用ノブ（２）を往復動自在に備えた開放器本体（１）に、前記開放用ノブに当接させて該開放用ノブを押し込み作用する偏心カム（３）が回転軸（９）まわりに回転自在に取り付けられるとともに、該偏心カムにハンドル（１０）が取り付けられており、前記ハンドル（１０）は上向き姿勢に設けられ、前記偏心カム（３）は、前記開放用ノブ（２）と距離（Ｌ）をあけて設けられていて、前記ハンドル（１０）を下向きに回転させることにより、前記開放用ノブ（２）と当接されて前記開放用ノブ（２）を押し込むように設定していることに特徴を有するものである。この場合において、上記開放器本体（１）の外側面に、開放器本体（１）とは別体の支持部材（４）を取り付け、この支持部材（４）に偏心カム（３）を回転軸（９）まわりに回転自在に取り付けることもできる。
【００１０】
上記構成の開放器によれば、ハンドルを持って偏心カムを回転軸まわりに回転させれば、偏心カムにより開放用ノブに強い押圧力を加えることができ、小さい操作力で開放用ノブを確実かつ容易に押し込むことができる。
【００１１】
偏心カムが開放器本体に対しこれの外側面に取り付けられる支持部材をもって取り付けられることにより、既設の開放器にも偏心カムを簡単に付設することができる。
【００１２】
【発明の実施の形態】
本発明の実施例を図面に基づき説明する。図１は開放器の平面図、図２は開放器の側面図、図３は開放器の背面図、図４は開放器の縦断側面図である。
【００１３】
図１ないし図４において、開放器Ｂの開放器本体１それ自体及び開放器本体１の内部構造は、前述した図５に示す従来のものと全く同様であるため、同一部材に同一符号を付するをもってその説明を省略する。開放器本体１には開放用ノブ２を押込み操作するための偏心カム３が開放器本体１とは別体の支持部材４によって取り付けられる。支持部材４は、袋ナット４０を外したうえで開放器本体１のシリンダ先端部から開放器本体１の外周の段部１ａ（図４参照）に当接するまで挿通される取付リング６と、開放器本体１の外面に開放用ノブ２の外周を囲むとともに取付リング６と対向するよう嵌合されるコの字形状の軸受部材７、およびこれら取付リング６と軸受部材７とを開放器本体１の外面上で連結する複数本の連結ねじ８から構成される。コの字形状の軸受部材７は対向壁部７ａ，７ａとこの対向壁部７ａ，７ａの基端どうしをつなぐ基部７ｂを有しており、その基部７ｂに開放器本体１のシリンダ後端部外周に回り止め状に嵌合する嵌合部１６を設けている。なお、取付リング６を開放器本体１の外周に挿通した後は、袋ナット４０は元通り開放器本体１のシリンダ先端部にねじ込み固定される。
【００１４】
偏心カム３は偏心した位置に回転軸９をもつ短い円柱状体や円盤等からなり、前記軸受部材７に回転軸９をもって枢着される。偏心カム３にはハンドル１０が取り付けられる。ハンドル１０は偏心カム３の外周一部に基端部が挿入固定されて径方向外方へ延びるレバー１１と、このレバー１１の先端に取り付けた握り玉１２から構成される。
【００１５】
偏心カム３は、支持部材４により開放器本体１に取り付けられた状態において、開放用ノブ２の突出先端部の前方に位置している。ハンドル１０が図２、図４中に実線で示すごとく上向きのほぼ垂直姿勢の角度にあるとき偏心カム３の回転軸９と最も近い外周面一部が開放用ノブ２の先端部と或る距離Ｌを置いて離れており、ハンドル１０が下向き方向Ｘに回転させるにつれて開放用ノブ２の先端部に偏心カム３の外周面が次第に接近して当接し、更に下方へ回転させることで偏心カム３が開放用ノブ２を次第に押し込んでゆき、ハンドル１０が図２、図４中に二点鎖線で示すごとく下向きの角度位置に達するまで略１８０゜回転させると開放用ノブ２が確実に押し込まれるように設定している。開放用ノブ２が完全に押し込まれると、前述したように容器弁Ａの封板２６が確実に突き破られて容器弁Ａの開放状態が得られることになる。
【００１６】
ハンドル１０が図４中に実線で示すごとくほぼ垂直な上向き姿勢にあるときはこの角度位置で偏心カム３が保持固定されるように安全ピン１３が、図３に示すように、回転軸９とは異なる位置にそれぞれ設けられた軸受部材７の孔１４と偏心カム３の孔１５とに挿通される。安全ピン１３は火災発生時に開放器が使用される場合に抜き出される。
【００１７】
上記構成の開放器において、火災発生時に、安全ピン１３を抜き、ハンドル１０を持って偏心カム３を回転軸９まわりに略１８０゜回転させると、偏心カム３により開放用ノブ２に強い押圧力を加えることができて該開放用ノブ２を確実かつ容易に押し込むことができる。この開放用ノブ２の押込みにより図６に示す容器弁Ａの封板２６が確実に突き破られて容器弁Ａの開放を完全に行うことができる。つまり、偏心カム３とハンドル１０による倍力により開放用ノブ２を小さい力を以て確実に押込み操作することができ、容器弁Ａを完全に開放することができるに至った。
【００１８】
偏心カム３は開放器本体１とは別体の支持部材４で開放器本体１に取り付けることにより既設の開放器にも簡単に取り付けることができて有利であるが、必ずしもこれに限定されるものではない。例えば、開放用ノブ２の回りに軸受部を一体形成した開放器本体１を新設し、その軸受部に偏心カム３を回転軸９まわりに回転自在に取り付けることもできる。この場合は取付リング６や連結ねじ８を不要とする。本発明の開放器はガス貯蔵容器に用いられる容器弁Ａに限られず、起動用ガス容器などに取り付けられる容器弁にも同様に適用できる。
【００１９】
【発明の効果】
本発明によれば、偏心カムとハンドルによる倍力により開放用ノブを小さい力を以て確実に押込み操作することができ、したがって力の弱い火災発見者などによっても確実に容器弁を開放操作できるという利点がある。
【図面の簡単な説明】
【図１】  開放器の平面図である。
【図２】  開放器の側面図である。
【図３】  開放器の背面図である。
【図４】  開放器の縦断側面図である。
【図５】  従来の開放器の断面図である。
【図６】  容器弁の断面図である。
【符号の説明】
１  開放器本体
２  開放用ノブ
３  偏心カム
４  支持部材
９  回転軸
１０  ハンドル
Ｌ  距離
【図１】
0004649025.tif 000002
【図２】
0004649025.tif 000003
【図３】
0004649025.tif 000004
【図４】
0004649025.tif 000005
【図５】
0004649025.tif 000006
【図６】
0004649025.tif 000007